(57)【要約】      （修正有）【課題】地震及び津波から人を安全に守ることができる地震・津波用シェルターを提供する。【解決手段】人が内部で寝食するに適した大きさを有する略球状の中空体１には人の出入口３と換気口５とを開閉自在に備えさせ、該出入口３と換気口５とを閉じたときには該中空体は水密性を保持し、該中空体は底部１１を下にした状態で水面上に浮くようになし、該中空体は連結手段２３を介して外部の固定体２５に連結してなることを特徴とする地震・津波用シェルター。【選択図】図２
0003176504.tif 000002
【実用新案登録請求の範囲】
【請求項１】
人が内部で寝食するに適した大きさを有する略球状の中空体には人の出入口と換気口とを開閉自在に備えさせ、該出入口と換気口とを閉じたときには該中空体は水密性を保持し、該中空体は底部を下にした状態で水面上に浮くようになし、該中空体は連結手段を介して外部の固定体に連結してなることを特徴とする地震・津波用シェルター。
【請求項２】
前記連結手段は、ワイヤとし、該ワイヤを前記固定体に回転自在に取り付けたドラムに繰出し・巻取り自在に巻き付け、該ワイヤの先端を前記中空体に連結したことを特徴とする請求項１に記載の地震・津波用シェルター。
【考案の詳細な説明】
【技術分野】
【０００１】
本考案は、地震・津波用シェルターに関するものであり、地震及び津波から人を守るためのシェルターに係るものである。
【背景技術】
【０００２】
地震から人を守るために、人が居住する建物を耐震化ないし免震化することが従来より行われている。
【０００３】
また、津波から人を守るために、例えば特開２００４−３３９９２０号公報に示すように、地上に津波避難タワーを建設することも広く知られている。
【先行技術文献】
【特許文献】
【０００４】
【特許文献１】特開２００４−３３９９２０号公報
【考案の概要】
【考案が解決しようとする課題】
【０００５】
しかるに、耐震化ないし免震化した建物は、仮に地震に耐え得るものであったとしても、津波から居住者を守ることができないという問題がある。
【０００６】
一方、地上に建設された津波避難タワーは、これを越す大津波に襲われたときには人を守ることができないだけでなく、津波により倒壊するおそれもあり得る。
【０００７】
本考案は、従来の技術における上述の問題を解決し、地震及び津波から人を安全に守ることができる地震・津波用シェルターを提供しようとしてなされたものである。
【課題を解決するための手段】
【０００８】
上記課題を解決するために、本考案は、下記の地震・津波用シェルターを提供する。
【０００９】
（１）人が内部で寝食するに適した大きさを有する略球状の中空体には人の出入口と換気口とを開閉自在に備えさせ、該出入口と換気口とを閉じたときには該中空体は水密性を保持し、該中空体は底部を下にした状態で水面上に浮くようになし、該中空体は連結手段を介して外部の固定体に連結してなることを特徴とする地震・津波用シェルター（請求項１）。
【００１０】
（２）前記連結手段は、ワイヤとし、該ワイヤを前記固定体に回転自在に取り付けたドラムに繰出し・巻取り自在に巻き付け、該ワイヤの先端を前記中空体に連結する（請求項２）。
【考案の効果】
【００１１】
［請求項１の考案］
請求項１の考案による地震・津波用シェルターの中空体内に人が入っているときに地震が発生した際には、該中空体は若干揺動するものの、略球状体であるため、損傷を受けるおそれは小さく、内部の人の安全が確保される。
【００１２】
出入口と換気口とを閉じたときには該中空体は水密性を保持し、該中空体は底部を下にした状態で水面上に浮くようしているため、該中空体内に人が入っているときに該中空体が津波に襲われた際には、該中空体は底部を下にした状態で水面上に浮上し、水面上に位置する。
【００１３】
水面上に浮いている間、中空体は津波により揺動し、連結手段の長さの範囲内で流されるが、該中空体は水面上に浮く軽量体であり、しかも略球状をなすため、他の物体に衝突しても大きな損傷を受けるおそれは小さい。
【００１４】
中空体は連結手段を介して外部の固定体に連結されているため、該連結手段の長さを超えて固定体から離れることがない。換言すれば、該中空体は海まで流されることがない。津波が終息したときには、該中空体は固定体近傍の地上に下りる。したがって、該中空体内の人の安全が確保される。
【００１５】
なお、地震・津波用シェルターの中空体は、例えば家の庭等に配設し、該庭等に固定体を設置するのであるが、該中空体を、レジャー用として、いわばテントの如く海岸、山、川原等に配設してもよい。なお、該中空体は水面上に浮く軽量体であるため、運搬も容易である。
【００１６】
［請求項２の考案］
前記連結手段は、ワイヤとし、該ワイヤを前記固定体に回転自在に取り付けたドラムに繰出し・巻取り自在に巻き付け、該ワイヤの先端を前記中空体に連結しているため、該連結手段に充分な長さを持たせつつ、該連結手段をコンパクトなものとすることができる。
【図面の簡単な説明】
【００１７】
【図１】図１は、本考案による地震・津波用シェルターの一例を示す正面図である。
【図２】図２は、中空体が底部を下にした状態で水面上に位置している状態を示す断面図である。
【考案を実施するための形態】
【００１８】
符号１に示すものは、地震・津波用シェルターにおける中空体である。中空体１は、人が内部で寝食するに適した大きさを有する略球状体である。中空体１は、好ましくは複数人が内部で寝食するに適した大きさを有し、一例として直径約３メートルの略球状体とする。
【００１９】
中空体１には人の出入口３と換気口５とを開閉自在に備えさせ、該出入口３と換気口５とを閉じたときには該中空体１は水密性を保持する。
【００２０】
出入口３を開閉自在ならしめるために、一例として図２に示すように、出入口パネル４を開口部上縁にヒンジ７を介して上下方向に開閉自在に枢着するが、出入口パネル４を開口部下縁にヒンジ７を介して上下方向に開閉自在に枢着してもよい。また、出入口パネル４をスライド式にしても差し支えない。図１に示す出入口３は窓９を備えている。換気口５を開閉自在ならしめるために、一例として図２に示すように、換気口パネル６をスライド式とする。
【００２１】
中空体１は、一例として、平らな底部１１を有する。中空体１は、底部１１を下にした状態で水面上に浮くようになす。図２参照。すなわち、中空体１は繊維強化プラスチック、グラスファイバー、アルミニウム合金等の軽量かつ衝撃に強い材料により形成し、底部１１は他の部分よりも重くなるように形成する。
【００２２】
図２に示す事例においては、底部１１の上方に床板１３を張設し、該底部１１と床板１３との間の空間部１５を物品の収納スペースとなしている。
【００２３】
該空間部１５を含む中空体１内には、例えば、乾パン、缶詰等の保存食、水、簡易トイレ、トイレットペーパー、ティッシュペーパー、歯ブラシ、歯磨き、救急箱、タオル、ロープ、工具、浮き輪、携帯電話機、携帯ラジオ、携帯デレビ、携帯用電灯、ロウソク、ライター、電池、バッテリ、変圧器、断熱布、毛布等の物品を常時収納する。また、万一、中空体１と後述の固定体との連結が失われた場合に備えて、中空体１内の人が自己の位置を確認することができるようにするためのナビゲーションシステムと無線機とを中空体１内に備えさせることが望ましい。
【００２４】
床板１３には蓋１７を開閉自在に取り付ける。該蓋１７は、空間部１５に物品を出し入れする際に開閉する。図２に示す事例においては、空間部１５に水平方向に回転自在の載置台１８を取り付けている。
【００２５】
中空体１の外面には、好ましくは、赤色、桃色等の目立つ色の蛍光塗料、夜光塗料等を塗着する。
【００２６】
図１に示す事例においては、中空体１の外面に環状のハンガー掛け１９と、中空体１を移動させる際の持ち手２１とを備えている。図２における符号２２に示すものはイスである。
【００２７】
中空体１の外周における低位置には、好ましくは、環状の把持体２４を取り付ける。該把持体２４は、津波を受けた中空体１が水面上に浮いているときに中空体１外の遭難者が該把持体２４を把持することができるようにするものである。中空体１を地上等に設置する際には、該把持体２４を地上等に立設した支持体２８上に支持させることにより、中空体１を安定させることができる。支持体２８は、一例として、４本立設する。
【００２８】
中空体１は連結手段２３を介して外部の固定体２５に連結する。固定体２５は、コンクリート基部２６等に強固に固着する。
【００２９】
連結手段２３は、一例として、ワイヤ２７とし、該ワイヤ２７を固定体２５に回転自在に取り付けたドラム２９に繰出し・巻取り自在に巻き付け、該ワイヤ２７の先端２７ａを中空体１に連結する。符号３１に示すものは、ドラム２９に備えさせたワイヤ巻取りハンドルである。なお、ワイヤ２７の先端２７ａは、中空体１内に備えさせたドラム等の巻取り手段（図示せず。）に繰出し・巻取り自在に巻き付けても差し支えない。また、ワイヤ２７の先端２７ａは、回転自在のねじれ防止手段（図示せず。）を介して中空体１に連結してもよい。ワイヤ２７の長さは、例えば５０〜１００メートルとする。
【符号の説明】
【００３０】
１  中空体
３  人の出入口
４  出入口パネル
５  換気口
６  換気口パネル
７  ヒンジ
９  窓
１１  底部
１３  床板
１５  空間部
１７  蓋
１８  載置台
１９  ハンガー掛け
２１  持ち手
２２  イス
２３  連結手段
２４  把持体
２５  固定体
２６  コンクリート基部
２７  ワイヤ
２７ａ  先端
２８  支持体
２９  ドラム
３１  ワイヤ巻取りハンドル
【図１】
0003176504.tif 000003
【図２】
0003176504.tif 000004